(57)【要約】【課題】情報提供装置において、情報提供側が利用者に提供したい情報を確実に伝えること。【解決手段】カラオケ装置１においては、カラオケ店舗の店員が特定の入力操作を行った場合には（Ｓ１０７：はい、Ｓ１１１：はい）、カラオケ装置１を初期状態にしてウェルカム情報を表示する（Ｓ１０１、Ｓ１０２）。そして、曲の予約や、キー設定、ボリューム設定、パラメータなど各種設定を行うキー入力があれば（Ｓ１０３：はい）、次の利用者が入室したと判断し、提供情報を、カラオケ店舗側が最も提供したいものから順に表示する（Ｓ１０４〜Ｓ１０６）。このことにより、次の利用者は、提供情報を途中からではなく初めから見せられることとなる。したがって、カラオケ店舗側が利用者に提供したい提供情報を確実に伝えることができる。【選択図】図５
2004138792.tif 000002
【特許請求の範囲】
【請求項１】
利用者が入力操作するための操作部、または前記利用者の存在を検出するための検出部の少なくとも何れか一方と、
前記操作部からの入力操作、または前記検出部が前記利用者を検出している状態であるか否か、の少なくとも何れか一方を受け付ける受付手段と、
前記利用者に提供する情報（以下、提供情報と称す。）を記憶する提供情報記憶手段と、
前記提供情報を報知する報知手段と、
前記操作部からの特定の入力操作、または前記検出部が前記利用者を検出していない状態であることの少なくとも何れか一方を前記受付手段が受け付けると初期状態にし、その後、前記操作部からの前記特定の入力操作以外の入力操作（以下、他の入力操作と称す。）を前記受付手段が受け付けると、前記提供情報記憶手段から前記提供情報を読み出し、その読み出した前記提供情報を前記報知手段に報知させる提供情報制御手段と、
を備えることを特徴とする情報提供装置。
【請求項２】
請求項１記載の情報提供装置において、
前記他の入力操作に基づき、前記提供情報よりも優先して提供すべき本来のサービス（以下、単にサービスと称す。）を利用者に対して提供するサービス提供手段と、
前記サービス提供手段が前記サービスを提供しているか否かを判定する提供状況判定手段と、を備え、
さらに、前記提供情報制御手段は、前記提供状況判定手段が、前記サービス提供手段が前記サービスを提供中であると判定した場合には、前記提供情報記憶手段から前記提供情報を読み出すのを中断し、その後、前記提供状況判定手段が、前記サービス提供手段が前記サービスを提供中でないと判定した場合には、前記提供情報記憶手段から前記提供情報を読み出し、その読み出した前記提供情報を前記報知手段に報知させること
を特徴とする情報提供装置。
【請求項３】
請求項１または２記載の情報提供装置において、
前記提供情報記憶手段は、利用者を歓迎する内容の情報（以下、ウェルカム情報と称す。）を記憶しており、
前記提供情報制御手段は、前記初期状態である場合には前記ウェルカム情報を前記報知手段に報知させること
を特徴とする情報提供装置。
【請求項４】
請求項３記載の情報提供装置において、
前記ウェルカム情報は静止画であり、
前記提供情報制御手段は、
前記初期状態である場合には、前記静止画の一部を前記提供情報記憶手段から読み出し、その静止画の一部を前記報知手段に報知させ、
さらに、前記受付手段が前記他の入力操作を受け付けた場合には、前記静止画の他の部分を前記提供情報記憶手段から読み出し、その読み出した前記静止画の他の部分を前記報知手段に報知させること
を特徴とする情報提供装置。
【請求項５】
請求項３記載の情報提供装置において、
前記ウェルカム情報は動画であり、
前記提供情報制御手段は、
前記初期状態である場合には、前記動画の最初の画面を提供情報記憶手段から読み出し、その最初の画面を前記報知手段に報知させ、
さらに、前記受付手段が前記他の入力操作を受け付けた場合には、前記動画の他の部分を前記提供情報記憶手段から読み出し、その読み出した前記動画の他の部分を前記報知手段に報知させること
を特徴とする情報提供装置。
【請求項６】
請求項１〜５の何れかに記載の情報提供装置において、
前記提供情報は複数存在しており、
前記提供情報記憶手段は、前記複数の提供情報を、それぞれに優先順位を関連付けて記憶しており、
さらに、前記提供情報制御手段は、前記複数の提供情報を、優先順位の高い順に前記提供情報記憶手段から読み出すこと
を特徴とする情報提供装置。
【請求項７】
請求項１〜６の何れかに記載の情報提供装置において、
前記提供情報記憶手段は、前記提供情報が未提供か提供済みかを関連付けて記憶可能であり、
前記提供情報制御手段は、
前記受付手段が前記特定の入力操作を受け付けると、前記提供情報が前記未提供であるとし、一方、前記提供情報記憶手段から前記提供情報を読み出すと、その読み出された前記提供情報を前記提供済みとし、
さらに、前記提供情報記憶手段から前記提供情報を読み出す際には、前記提供情報記憶手段によって前記未提供であると記憶されている前記提供情報の中から読み出すこと
を特徴とする情報提供装置。
【発明の詳細な説明】
【０００１】
【発明の属する技術分野】
本発明は、例えば店舗側が店舗情報などの各種情報を利用者に提供するための情報提供装置に関する。
【０００２】
【従来の技術】
昨今、カラオケ装置も歌うことだけでなく、演奏曲と演奏曲との間に環境映像や音楽を流すことでムードを演出したり、店舗内における食事等のサービスや新譜案内などを告知したりするなど、様々な曲間情報を提供するのに利用されている。また、このようなカラオケ装置の中には、演奏曲と演奏曲との間に曲間情報を同一のものが連続しないように再生するもの（例えば、特許文献１参照。）や、リモコンや操作パネルからの入力により曲間情報の再生をコントロールできるもの（例えば、特許文献２参照。）が知られている。
【０００３】
ところで、上述のようなカラオケ装置が設置されたカラオケルームにおいては、利用者の退室時に、その利用者が予約入力した予約曲が入ったままであったりボリュームやキーの設定が店舗側の初期設定から変更されていたりするケースが多い。そこで、カラオケ装置の中には、リモコンの「演奏停止」キーと操作パネルの「停止」キーとを同時に押すなどの特定の操作を行うと、予約曲の破棄やボリューム等の設定を初期設定された値に戻すとともに、曲間情報を最初から報知するものがある。
【０００４】
【特許文献１】
特開平１０−５５１９２号公報（第３頁、図２）
【特許文献２】
特開平９−２６９７９１号公報（第２頁、図１）
【０００５】
【発明が解決しようとする課題】
しかし、上述のようなカラオケ装置においては、次の利用者が入室するまでの間、曲間情報を報知し続けることとなる。このことにより、入室した次の利用者はその曲間情報を途中から見せられることとなり、また、店舗側も提供したい曲間情報を利用者に確実に伝えることができないといった問題があった。
【０００６】
なお、このようなことはカラオケ装置に限られず、利用者に対して、本来のサービスとは別に音楽や広告などの情報を提供する場合には同様の問題が生じると考えられる。例えばボーリング場のスコア表示端末やゲームセンタのゲーム機などのようにゲームとゲームとの間に広告や音楽などの情報を提供する場合などである。
【０００７】
本発明は、このような不具合に鑑みなされたものであり、その目的とするところは、情報提供装置において、情報提供側が利用者に提供したい情報を確実に伝えることにある。
【０００８】
【課題を解決するための手段及び発明の効果】
上記課題を解決するためになされた請求項１記載の情報提供装置は、利用者が入力操作するための操作部（１０：この欄においては、発明への理解の容易化のため、必要に応じて実施の形態中で用いた符号を付すが、この符号によって請求の範囲を限定することを意味するものではない。）、または前記利用者の存在を検出するための検出部（別実施例（２）を参照。）の少なくとも何れか一方と、前記操作部からの入力操作、または前記検出部が前記利用者を検出している状態であるか否か、の少なくとも何れか一方を受け付ける受付手段（１４）と、前記利用者に提供する情報である提供情報を記憶する提供情報記憶手段（１３）と、前記提供情報を報知する報知手段（１８，２０，２２，２４，２６）と、前記操作部からの特定の入力操作、または前記検出部が前記利用者を検出していない状態であることの少なくとも何れか一方を前記受付手段が受け付けると初期状態にし、その後、前記操作部からの前記特定の入力操作以外の入力操作である他の入力操作を前記受付手段が受け付けると、前記提供情報記憶手段から前記提供情報を読み出し、その読み出した前記提供情報を前記報知手段に報知させる提供情報制御手段（１４）と、を備えることを特徴とする。
【０００９】
上記のように構成された情報提供装置（１）によれば、操作部（１０）からの特定の入力操作、または検出部（別実施例（２）を参照。）が利用者を検出していない状態であることの少なくとも何れか一方を受付手段（１４）が受け付けると、提供情報制御手段（１４）が情報提供装置を初期状態とする。なお、ここで「特定の入力操作」とは、カラオケ装置を例にとれば、店舗の営業開始時にその情報提供装置の電源スイッチを店員などが押すことや、利用者の退室時にその利用者や店員により利用終了を意味するキー入力をすること、フロントからのネットワーク経由のコマンド指令などが挙げられる。また、「利用者を検出していない状態であること」とは、同じくカラオケ装置を例にとれば、カラオケルームからその利用者が退室したことによりセンサが利用者を検出しなくなった状態などが挙げられる。また、「初期状態」とは、その電源をオフからオンにした際のデフォルト状態のことであり、同じくカラオケ装置を例にとれば、各種設定（キー設定、ボリューム設定、パラメータなど）を店舗側が設定した初期状態に戻すことや、楽曲が予約されている場合にはその予約を破棄することなどが挙げられる。また、検出部としては、例えば、カラオケ室の出入り口や室内に設置したセンサなどが挙げられる。
【００１０】
そして、他の入力操作を受付手段が受け付けると、提供情報制御手段が、提供情報記憶手段（１３）から提供情報を読み出し、その読み出した提供情報を、報知手段（１８，２０，２２，２４，２６）に報知させる。なお、ここで「他の入力操作」とは、同じくカラオケ装置を例にとれば、利用者による操作部からの入力操作により、楽曲を予約することや、各種設定（キー設定、ボリューム設定、パラメータなど）を利用者が自分の好みに変更することなどが挙げられる。また、「提供情報」としては、同じくカラオケ装置を例にとれば、演奏曲と演奏曲との間にムードを演出するための環境映像や音楽、食事等のサービスを告知するための店舗広告や新譜案内などが挙げられる。このような提供情報は、動画データや画像データ、音声データとして上述の提供情報記憶手段に記憶されている。
【００１１】
このように、次の利用者は、提供情報を途中からではなく初めから見せられることとなる。したがって、情報提供側が利用者に対して提供したい情報を確実に伝えることができる。
また、利用者の退室後から次の利用者の入室までの間に提供情報を繰り返し報知することがないので、機器の劣化を防ぐことができるとともに、機器が消費する電力を抑えることができる。
【００１２】
この場合、カラオケ装置を例にとれば、利用者が楽曲を予約し、カラオケ装置の本来のサービスであるその楽曲の演奏が始まった場合には提供情報の報知を中断し、その後、例えばその楽曲の演奏後に次の楽曲が予約されるのを待つ状態になったら、提供情報の報知を再開するようにしてもよい。すなわち、請求項２のように、他の入力操作に基づき、提供情報よりも優先して提供すべき本来のサービスを利用者に対して提供するサービス提供手段（１８，２０，２２，２３，２４，２６）と、サービス提供手段がサービスを提供しているか否かを判定する提供状況判定手段（１４）と、を備え、さらに、提供情報制御手段が、提供状況判定手段によってサービス提供手段がサービスを提供中であると判定された場合には、提供情報記憶手段から提供情報を読み出すのを中断し、その後、提供状況判定手段によってサービス提供手段がサービスを提供中でないと判定された場合には、提供情報記憶手段から提供情報を読み出して報知手段に報知させるようにしてもよい。なお、この場合、提供情報を最初から報知し直してもよいし、前回中断したところから報知を再開してもよい。このようにすれば、例えばカラオケ装置の場合では、楽曲が演奏されていないときに提供情報が報知されるので、利用者が、提供情報の報知に妨げられずに、カラオケなどのサービスに集中できる。
【００１３】
ところで、次に訪れた利用者を情報提供側が歓迎していることを伝えるために、図３に例示するような次の利用者を歓迎する情報であるウェルカム情報を初期状態の際に報知するようにしてもよい。すなわち、請求項３のように、提供情報記憶手段が、利用者を歓迎する内容の情報であるウェルカム情報を記憶し、提供情報制御手段が、初期状態である場合にはそのウェルカム情報を報知手段に報知させるようにするのである。なお、このウェルカム情報は、動画や静止画、音楽、音声などが考えられる。
【００１４】
ここで、ウェルカム情報が静止画であり、その静止画の全てを例えばモニタの一画面で表示しきれないような場合には、その静止画の一部を初期状態時に報知し、その後その静止画をスクロールなど移動させて他の部分を報知することも考えられる。すなわち、請求項４のように、提供情報制御手段が、初期状態である場合には、静止画の一部を提供情報記憶手段から読み出して報知手段に報知させ、さらに、受付手段が他の入力操作を受け付けた場合には、静止画の他の部分を提供情報記憶手段から読み出して報知手段に報知させることが考えられる。
【００１５】
また、ウェルカム情報が動画である場合には、動画の最初の画面を初期状態時に報知し、その後動画の他の部分を順次報知することも考えられる。すなわち、請求項５のように、提供情報制御手段が、初期状態である場合には提供情報である動画の最初の画面を提供情報記憶手段から読み出して報知手段に報知させ、さらに、受付手段が入力操作を受け付けた場合には、その動画の他の部分を提供情報記憶手段から読み出して報知手段に報知させることが考えられる。
【００１６】
ところで、上述の提供情報が複数存在する場合には、提供情報それぞれに優先順位を設定し、その優先順位の高いものから順に報知することが考えられる。すなわち、請求項６のように、提供情報記憶手段が、複数の提供情報を、それぞれに優先順位を関連付けて記憶しており、さらに提供情報制御手段が、複数の提供情報を、優先順位の高い順に提供情報記憶手段から読み出すようにすることが考えられる。このことにより、情報提供側が最も提供したい提供情報から順に報知でき、限られた時間の中でも効率よく情報を提供できる。
【００１７】
この場合、利用者に報知した提供情報を再び報知しないようにすることも考えられる。すなわち、請求項７のように、提供情報記憶手段が、提供情報が未提供か提供済みかを関連付けて記憶可能であり、提供情報制御手段は、受付手段が特定の入力操作を受け付けると、提供情報が未提供であるとし、一方、提供情報記憶手段から提供情報を読み出すと、その読み出された提供情報を提供済みとし、さらに、提供情報記憶手段から提供情報を読み出す際には、提供情報記憶手段によって未提供であると記憶されている提供情報の中から読み出すようにすることが考えられる。このようにすれば、限られた広告時間の中でもより多くの種類の情報を提供できる。
【００１８】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１９】
図１は、カラオケシステム１００の概略構成の説明図である。このカラオケシステム１００は、情報提供装置としての複数のカラオケ装置１、Ｓ１、Ｓ２、…、Ｓｍおよびホストコンピュータ２を備えており、これら複数のカラオケ装置１、Ｓ１、Ｓ２、…、Ｓｍが、ローカル・エリア・ネットワーク３０（以下、ＬＡＮと称す。）を介して送受信可能に接続され、さらに、カラオケ装置１とホストコンピュータ２とが通信ネットワーク３を介して送受信可能に接続されている。
【００２０】
まず、カラオケ装置１の構成について説明する。なお、ここでは、カラオケ装置１についてだけ説明し、その他のカラオケ装置（Ｓ１、Ｓ２、…、Ｓｍ）の説明は、カラオケ装置１と同様であるため省略する。なお、カラオケ装置１、Ｓ１、Ｓ２、…、Ｓｍは、カラオケボックスの各部屋（カラオケルーム）にそれぞれ１台ずつ設置されている。
【００２１】
［カラオケ装置１の構造の説明］
このカラオケ装置１は、図１に示されるように、曲の予約などを行う入力装置１０、システムプログラムや各種の設定に必要な設定データなどを記憶しているＥＥＰＲＯＭ１２、各種データ等を記憶しているハードディスク１３、カラオケ装置１を制御するためのＣＰＵ１４、各種情報を一時的に記憶するＲＡＭ１５、ＬＡＮ３０に接続するためのネットワークインターフェース１７、演奏の再生を行う音源再生装置１８、通信ネットワーク３を介してホストコンピュータ２に接続し、各種の情報を送受信する通信装置１９、音楽情報にかかる電気信号を増幅等するアンプ２０、アンプ２０からの電気信号を入力して伴奏曲及び利用者の歌声等を流すスピーカ２２、利用者の歌声等をアンプ２０に入力するマイク２３、ハードディスク１３から読み出された画像情報画像情報を再生する映像再生装置２４および画像情報である背景画及び歌詞等を表示するモニタなどの表示装置２６、を備えている。また、このうち、ＣＰＵ１４には、入力装置１０、ＥＥＰＲＯＭ１２、ハードディスク１３、ＲＡＭ１５、ネットワークインターフェース１７、音源再生装置１８、通信装置１９および映像再生装置２４が接続されており、ＣＰＵ１４は、これらを介してカラオケ装置１を制御する。
【００２２】
なお、上述の入力装置１０は操作部に該当し、ハードディスク１３は提供情報記憶手段に該当し、ＣＰＵ１４は、受付手段、提供情報制御手段および提供状況判定手段に該当し、音源再生装置１８、アンプ２０、スピーカ２２、映像再生装置２４および表示装置２６は、報知手段およびサービス提供手段に該当する。
【００２３】
続いてカラオケ装置１の各装置の具体的な構成を説明する。
［入力装置１０の構成の説明］
入力装置１０は、カラオケ店舗の店員や利用者によって操作され、カラオケ装置１の電源の投入・切断や入力操作を行うものである。ここで入力操作の具体例としては、曲の予約や各種設定（キー設定、ボリューム設定、パラメータなど）、演奏曲の停止などが挙げられる。この入力装置１０は、図２に示すように、パネル１０ａおよびリモコン１０ｂから構成される。このうちパネル１０ａは、曲番号を入力するための曲番号キーや演奏中の曲を停止させるための停止キーなどを備えている。一方、リモコン１０ｂは、曲番号を入力するための曲番号キーや演奏中の曲を停止させるための演奏停止キーなどを備えている。
【００２４】
以下、上述の入力装置１０を操作することにより実行される処理のうち、本発明に関係するものを幾つか説明する。
まず、利用者が曲を予約するには、上述のパネル１０ａやリモコン１０ｂの曲番号キーを操作して予約したい曲の曲番号を入力すればよい。すると、ＣＰＵ１４がその入力を受け付け、その曲番号および予約番号を予約情報としてＲＡＭ１５に記憶させる。
【００２５】
また、利用者が演奏中の曲を停止させたいときには、パネル１０ａの「停止キー」やリモコン１０ｂの「演奏停止キー」を操作すればよい。すると、ＣＰＵ１４がその操作を受け付け、音源再生装置１８および映像再生装置２４にその演奏を停止させる。
【００２６】
また、カラオケ店舗の店員が、例えば利用者が退室した際などカラオケ装置１を初期状態にしたいときには、特定の入力操作を行えばよい。なお、本実施例では、この特定の入力操作は、パネル１０ａの「停止」キーと、リモコン１０ｂの「演奏停止」キーとを同時に操作することに設定されている。すると、ＣＰＵ１４がその操作を受け付け、予約情報をＲＡＭ１５から消去したり、キー設定、ボリューム設定、パラメータなど各種設定をカラオケ店舗側が設定した初期設定値に戻したりするなど、カラオケ装置１を初期状態にする。
【００２７】
［ハードディスク１３の構成の説明］
ハードディスク１３は、初期設定値情報、ウェルカム情報（図３（ａ）を参照。）、店舗広告や新譜案内などの提供情報（図３（ｂ）を参照。）、提供情報の提供状況を管理するための提供情報表示管理テーブル（図４を参照。）、画像情報・音楽情報などのコンテンツ情報、演奏記録などのログ情報などを記憶している。
【００２８】
このうち、初期設定値とは、そのカラオケ装置１が初期状態である際のキー設定、ボリューム設定、パラメータなど各種設定の設定値である。なお、この初期設定値は、入力装置１０を操作することによりカラオケ店舗側が設定・変更するよう構成されている。そして、電源投入時などカラオケ装置１を初期状態にする際には、上述のキー設定、ボリューム設定、パラメータなど各種設定がこの初期設定値に設定される。
【００２９】
ウェルカム情報は、図３（ａ）に例示するように、カラオケ室に入室する利用者を歓迎する内容の静止画であり、カラオケ装置１が初期状態である際に表示装置２６によって報知される。
提供情報は、図３（ｂ）に例示するように、利用者に食事等のサービスを告知するための店舗広告や新譜案内、演奏曲と演奏曲との間にムードを演出するための環境映像・音楽など利用者に提供する情報であり、動画データや画像データ、音声データなどとしてハードディスク１３に記憶されている。そして、カラオケ装置１が初期状態である際に入力装置１０からキー入力がなされると、提供情報は、ハードディスク１３から読み出され、スピーカ２２や表示装置２６によって報知される。
【００３０】
提供情報表示管理テーブルは、図４に示すように、提供情報の提供状況を管理するものであり、「情報表示済みフラグ」、「優先度」、「情報種別」および提供情報の名称である「情報ファイル名」の各情報を関連付けたものである。ここで、「情報表示済みフラグ」は、その情報ファイルが「未提供」か「提供済み」か、を示すものであり、「優先度」は、その情報ファイルを報知する順番を示すものであり、「情報種別」は、例えば「店舗広告」や「新譜案内」、「コンテンツ広告」など提供情報の種別を示すものである。なお、提供情報表示管理テーブルの「情報表示済みフラグ」は、カラオケ装置１が初期状態である際には、全て「未提供」となっており、情報ファイルが報知されると、「提供済み」に書き換えられるよう構成されている。また、提供情報表示管理テーブルの他の項目は、入力装置１０を操作することによりカラオケ店舗側が設定・変更するよう構成されている。ここで、提供情報表示管理テーブルの一段目を例に挙げると、情報ファイル「ビール．ｄａｔ」は、その情報種別が「店舗広告」でその優先度が「１」であり、情報表示済みフラグが「表示済み」（現在の利用者に対して既に報知済み）であることを示している。
【００３１】
コンテンツ情報は、上述のように、画像情報や音楽情報などから構成される。このうち、画像情報は、歌詞データおよび映像データから構成され、一方、音楽情報は、演奏データから構成される。
［ホストコンピュータ２の構成の説明］
また、上述のカラオケ装置１の通信装置１９には、ホストコンピュータ２が通信ネットワーク３を介して接続されており、カラオケ装置１は、最新の流行曲等の曲データをホストコンピュータ２から受信することができる。
【００３２】
以上のように構成されたカラオケ装置１では、入力装置１０より曲が予約されると、ＣＰＵ１４が、その曲のコンテンツ情報（歌詞データ、映像データからなる画像情報、および演奏データからなる音楽情報）をハードディスク１３から読み出し、映像再生装置２４および音源再生装置１８に同期させて出力する。このうち演奏データは、音源再生装置１８において、アナログの演奏音信号に変換された後、アンプ２０へ送られる。そして、マイク２３を介して入力された利用者の歌唱音信号と適度な割合でミキシングされて電気的に増幅されたのちにスピーカ２２から外部へ出力される。一方、歌詞データは、映像再生装置２４において映像データと合成され、背景映像とともに表示装置２６に表示される。なお、このように曲が演奏された記録は、ログ情報としてハードディスク１３やホストコンピュータ２に記憶される。
【００３３】
なお、カラオケ装置１の他の構成は公知技術に従っているので、詳細な説明は省略する。
［カラオケ装置１のメイン処理の説明］
次に、上述のカラオケ装置１において実行されるメイン処理を図５のフローチャートに基づいて説明する。
【００３４】
まず、カラオケ装置１の電源が投入されると、図５のステップ１０１（以下、「ステップ」を単に「Ｓ」と記す。）では、カラオケ装置１全体の初期状態にする。この際、キー設定、ボリューム設定、パラメータなど各種設定を、予め設定された初期設定値に戻す。また、前の利用者が曲を予約したままであればその予約情報もハードディスク１３から消去する。さらに、提供情報表示管理テーブル（図４を参照。）における全情報ファイルの情報表示済みフラグを全て「未表示」に書き換える。
【００３５】
続くＳ１０２では、利用者を歓迎する内容のウェルカム情報（図３（ａ）を参照。）をハードディスク１３から読み出して表示装置２６に表示させる。そして、Ｓ１０３に移行する。
したがって、利用者がカラオケルームに入室したときには、必ずこのウェルカム情報を目にすることができ、店舗側の歓迎メッセージや店舗側から一番伝えたい情報などを利用者に確実に伝えることができる。
【００３６】
Ｓ１０３では、曲の予約や、キー設定、ボリューム設定、パラメータなど各種設定を行う入力装置１０からのキー入力を待つ（Ｓ１０３：いいえ）。ここで入力装置１０からのキー入力があれば（Ｓ１０３：はい）、利用者が入室したと判断してＳ１０４に移行する。
【００３７】
Ｓ１０４では、入室した利用者に提供する提供情報を選択する。具体的には、提供情報表示管理テーブルを参照し、情報表示済みフラグが「未表示」である情報ファイルのうちで優先度が最も高いものを選択する。なお、ここでは、先のＳ１０１にて提供情報表示管理テーブルにおける全情報ファイルの情報表示済みフラグを全て「未表示」と書き換えているので、優先度が「１」である情報ファイル「ビール．ｄａｔ」を選択する。
【００３８】
したがって、利用者は、優先度の高い情報を最初から目にすることができる。
続くＳ１０５では、先のＳ１０４で選んだ提供情報の情報ファイル（ここでは、「ビール．ｄａｔ」）をハードディスク１３から読み出して準備し、続くＳ１０６では、その読み出した情報ファイルを表示装置２６に表示させる。なお、その情報ファイルが音楽データを伴うものである場合や音楽データそのものである場合には、その音楽データをスピーカ２２から外部へ出力する。そして、その提供情報の表示が終了したら、その提供情報の情報ファイルの情報表示済みフラグを「表示済み」と書き換え、その利用者に報知した提供情報を再び報知しないようにする。
【００３９】
続くＳ１０７では、提供情報の提供中に特定の入力操作が行われたか否かを判断することにより、カラオケ装置１を初期状態にするか否かを判断する。ここで、カラオケ装置１を初期状態にするのであれば（Ｓ１０７：はい）、Ｓ１０１に戻って電源投入時と同様にカラオケ装置１を初期状態にし、続いてウェルカム情報を表示して次の利用者の入室を待つ（Ｓ１０２、Ｓ１０３）。一方、カラオケ装置１を初期状態にしないのであれば（Ｓ１０７：いいえ）、Ｓ１０８に移行する。
【００４０】
Ｓ１０８では、ハードディスク１３が予約情報を記憶しているか否かを判断することにより、曲が予約されているか否かを判断する。ここで、曲が予約されておらず（Ｓ１０８：いいえ）、現在提供中の提供情報が終了していなければ（Ｓ１１３：いいえ）、Ｓ１０６に戻って引き続き提供情報を提供する。また、提供情報が終了したら（Ｓ１１３：はい）、Ｓ１０４に戻って提供情報表示管理テーブルを参照し、情報表示済みフラグが「未表示」である情報ファイルのうちで優先度が最も高いものを選択する。なお、今回の場合、先のＳ１０６にて優先度が「１」である情報ファイル「ビール．ｄａｔ」の情報表示済みフラグを「表示済み」に書き換えているので、情報表示済みフラグが「未表示」で次に優先度が高い（優先度が「２」）である情報ファイル「お食事．ｄａｔ」を選択する。以後、以上の手順を、曲が予約されるまで繰り返し、限られた時間の中でもより多くの提供情報を提供する。一方、曲が予約されていれば（Ｓ１０８：はい）、予約された曲のコンテンツ情報をハードディスク１３から読み出して演奏準備をし（Ｓ１０９）、提供情報の提供を中断してその曲を演奏する（Ｓ１１０）。このことにより、カラオケ装置１は、その本来のサービスを提供し、一方利用者は、表示装置２６に表示される歌詞を参照しながら、スピーカ２２より流れる演奏に合わせて、マイク２３を使って歌を歌うことができる。
【００４１】
続くＳ１１１では、曲の演奏中に特定の入力操作が行われたか否かを判断することにより、カラオケ装置１を初期状態にするか否かを判断する。ここで、カラオケ装置１を初期状態にするのであれば（Ｓ１１１：はい）、Ｓ１０１に戻って電源投入時と同様にカラオケ装置１を初期状態にし、続いてウェルカム情報を表示して次の利用者の入室を待つ（Ｓ１０２、Ｓ１０３）。一方、カラオケ装置１を初期状態にしないのであれば（Ｓ１１１：いいえ）、Ｓ１１２に移行する。
【００４２】
Ｓ１１２では、曲の演奏中か否かを判断する。ここで、曲の演奏中であれば（Ｓ１１２：はい）、Ｓ１１０に戻って曲の演奏を続ける。一方、曲の演奏が終了していれば（Ｓ１１０：いいえ）、Ｓ１０４に戻り、情報表示済みフラグが「未表示」である情報ファイルのうちで優先度が最も高いもの、つまり、先に提供を中断した提供情報を最初から提供する（Ｓ１０４〜Ｓ１０６）。
【００４３】
［効果］
このように、本実施例のカラオケ装置１においては、カラオケ店舗の店員が特定の入力操作を行った場合には（Ｓ１０７：はい、Ｓ１１１：はい）、カラオケ装置１を初期状態にしてウェルカム情報を表示する（Ｓ１０１、Ｓ１０２）。そして、曲の予約や、キー設定、ボリューム設定、パラメータなど各種設定を行う入力装置１０からのキー入力があれば（Ｓ１０３：はい）、利用者が入室したと判断し、提供情報を、カラオケ店舗側が最も提供したいものから順に表示する（Ｓ１０４〜Ｓ１０６）。このことにより、次の利用者は、提供情報を途中からではなく初めから見せられることとなる。したがって、カラオケ店舗側が利用者に提供したい提供情報を確実に伝えることができること。
【００４４】
また、上述のように、カラオケ店舗側が最も提供したい提供情報から順に表示するので、したがって、限られた広告時間の中でもより多くの種類の情報を提供できる。
さらに、利用者の退室から次の利用者の入室までの間には、静止画であるウェルカム情報を表示したままとするので、ウェルカム情報を繰り返して表示することによるハードディスク１３など機器の劣化を防ぐことができるとともに、これら機器が消費する電力を抑えることができる。
【００４５】
［別実施例］
（１）上記実施例のカラオケ装置１では、「特定の入力操作」が、パネル１０ａの「停止」キーと、リモコン１０ｂの「演奏停止」キーとを同時に操作することと設定されているが、これには限られず、利用者が、誤ってカラオケ装置１を初期状態にしないような操作であればよい。
（２）上記実施例のカラオケ装置１では、キー設定、ボリューム設定、パラメータなど各種設定の初期設定値の設定・変更や、提供情報表示管理テーブルの「情報表示済みフラグ」以外の項目の設定・変更、特定の入力操作を、その入力装置１０を操作することにより行っているが、そのカラオケ装置１が設置されているカラオケ室以外の場所からこれらを行うよう構成してもよい。例えば、（イ）ＬＡＮ３０を介して他のカラオケ装置Ｓ１、Ｓ２、…、Ｓｍから上述の設定・変更などを行うよう構成してもよい。（ロ）また、通信ネットワーク３を介してホストコンピュータ２から上述の設定・変更などを行うよう構成してもよい。（ハ）さらに、ＬＡＮ３０に接続されたコンピュータ端末がカラオケ店舗のフロントなどにも設置されている場合には、そのコンピュータ端末から上述の設定・変更などを行えるよう構成してもよい。
【００４６】
以上のように構成すれば、カラオケ店舗の店員は、そのカラオケ装置１が設置されているカラオケ室に行かなくても上述の設定・変更などを行える。また、複数のカラオケ装置１、Ｓ１、Ｓ２、…、Ｓｍが設置されている場合、カラオケ店舗の店員が各カラオケ室を巡回しながら上述の設定・変更などを行う手間を省くことができる。
【００４７】
また、上述の特定の入力操作については、例えば検出部としてのセンサをカラオケ室の出入り口や室内に設置し、利用者がカラオケ室から退室したことによりそのセンサが利用者を検出しなくなった場合に、カラオケ装置１を初期状態にすることが考えられる。このように構成しても、カラオケ店舗の店員は、そのカラオケ装置１が設置されているカラオケ室に行かなくても、そのカラオケ装置１を初期状態にできる。
（３）上記実施例のカラオケ装置１では、初期設定値情報、ウェルカム情報、提供情報、提供情報表示管理テーブル、コンテンツ情報、ログ情報などの各種情報を、ハードディスク１３に記憶しているが、これには限られず、カラオケ装置１の内部におけるハードディスク１３以外の部分にこれら各種情報を記憶してもよい。また、ホストコンピュータ２や外部ハードディスク装置などそのカラオケ装置１の外部にこれら各種情報を記憶しておき、カラオケ装置１が必要時に読み出すよう構成してもよい。
（４）上記実施例のカラオケ装置１では、初期状態である場合に、図３（ａ）に例示するような静止画のウェルカム情報を表示しているが、これには限られず、ウィルカム情報を、動画や音楽など様々に構成することが考えられる。
（イ）例えば、ウェルカム情報を動画とし、入力装置１０からのキー入力があるまで繰り返し表示してもよい。また、その動画の最初の画面をウェルカム情報として表示しておき、入力装置１０からのキー入力があった場合に（図５のＳ１０３：はい）、その動画の他の部分を順次表示するようにしてもよい。
（ロ）また、ウェルカム情報を音楽などの音楽情報で構成し、入力装置１０からのキー入力があるまで繰り返しスピーカ２２から外部に出力するようにしてもよい。また、ウェルカム情報に音楽情報を含めるよう構成し、この音楽情報の部分を、入力装置１０からのキー入力があるまで繰り返しスピーカ２２から外部に出力するようにしてもよい。
（ハ）また、静止画の一部をウェルカム情報として表示しておき、入力装置１０からのキー入力があった場合に（図５のＳ１０３：はい）、その静止画をスクロールなど移動させて他の部分を表示するよう構成してもよい。
（ニ）また、カラオケ装置１が初期状態である場合には、何も報知しないように構成してもよい。このように構成すれば、ウェルカム情報を報知することによるハードディスク１３や表示装置２６など機器の劣化を防ぐことができるとともに、これら機器が消費する電力を抑えることができる。
（５）上記実施例のカラオケ装置１では、ウェルカム情報と提供情報とは別に用意しているが、提供情報のうちでその優先度が「１」であるものをウェルカム情報として表示するようにしてもよい。
（６）上記実施例のカラオケ装置１では、提供情報の提供中に、曲が予約されると、提供情報の提供を中断してその曲を演奏しているが（図５のＳ１０８：はい）、その曲の演奏中も提供情報を提供し続けるようにしてもよい。具体的には、その曲の画像情報と提供情報の画像情報とを同時に表示装置２６に表示し、その曲の音楽情報と提供情報の音楽情報とを同時にスピーカ２２から出力することによりその曲の演奏中も提供情報を提供し続けるようにする。また、その曲を報知する表示装置２６・スピーカ２２と、提供情報を報知する表示装置２６・スピーカ２２とを別に設けてもよい。
（７）上記実施例のカラオケ装置１では、曲の演奏のために提供情報の提供が中断され、その後曲の演奏が終了して提供情報を再開する場合、提供を中断した提供情報を最初から提供する（Ｓ１０４〜Ｓ１０６、Ｓ１０８）が、提供を中断したところから提供再開するようにしてもよい。
【図面の簡単な説明】
【図１】実施例のカラオケシステムの概略構成の説明図である。
【図２】（ａ）は実施例のカラオケ装置のパネルの外観を示す説明図であり、
（ｂ）は実施例のカラオケ装置のリモコンの外観を示す説明図である。
【図３】（ａ）は実施例のカラオケ装置にて表示されるウェルカム情報の一例を示す説明図であり、（ｂ）は実施例のカラオケ装置にて表示される提供情報の一例を示す説明図である。
【図４】実施例のカラオケ装置に記憶される提供情報管理用テーブルの内容を示す説明図である。
【図５】実施例のカラオケ装置において実行されるメイン処理を示すフローチャートである。
【符号の説明】
１…カラオケ装置、２…ホストコンピュータ、３…通信ネットワーク、
１０…入力装置、１０ａ…パネル、１０ｂ…リモコン、
１２…ＥＥＰＲＯＭ、１３…ハードディスク、１４…ＣＰＵ、１５…ＲＡＭ、
１７…ネットワークインターフェース、１８…音源再生装置、１９…通信装置、
２０…アンプ、２２…スピーカ、２３…マイク、２４…映像再生装置、
２６…表示装置、３０…ローカル・エリア・ネットワーク（ＬＡＮ）、
１００…カラオケシステム、Ｓ１〜Ｓｍ…カラオケ装置
【図１】
2004138792.tif 000003
【図２】
2004138792.tif 000004
【図３】
2004138792.tif 000005
【図４】
2004138792.tif 000006
【図５】
2004138792.tif 000007